【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
画像処理装置であって、
原稿の画像を読み取り、当該画像に基づく画像データを生成する読取手段と、
前記読取手段が生成した画像データを近距離無線通信で携帯端末に送信する送信手段と、
通知手段とを有し、
前記読取手段が前記原稿を読み取った後、前記画像処理装置が前記携帯端末と前記近距離無線通信で通信可能である場合に、前記通知手段は前記携帯端末を前記画像処理装置に近づけさせるための所定のメッセージをユーザに通知せずに、前記送信手段は前記読取手段が生成した画像データを前記近距離無線通信で前記携帯端末に送信し、
前記読取手段が前記原稿を読み取った後、前記画像処理装置が前記携帯端末と前記近距離無線通信で通信可能でない場合に、前記通知手段は前記携帯端末を前記画像処理装置に近づけさせるための前記所定のメッセージをユーザに通知し、前記画像処理装置が前記携帯端末と前記近距離無線通信で通信可能になった後に、前記送信手段は前記読取手段が生成した画像データを前記近距離無線通信で前記携帯端末に送信する
ことを特徴とする画像処理装置。
【請求項２】
前記近距離無線通信を介して前記携帯端末から前記近距離無線通信を確立するための要求を受信する受信手段と、
前記受信手段が受信した前記要求に基づいて、前記携帯端末との前記近距離無線通信を確立する確立する確立手段とをさらに有し、
前記確立手段が前記携帯端末との前記近距離無線通信を確立した状態で、前記受信手段が前記携帯端末から前記読取手段に原稿の画像を読み取らせる指示を受信することによって、前記携帯端末との前記近距離無線通信が切断される
ことを特徴とする請求項１に記載の画像処理装置。
【請求項３】
前記通知手段は、前記送信手段による前記携帯端末への前記画像データの送信が失敗すると、前記所定のメッセージをユーザに通知することを特徴とする請求項２に記載の画像処理装置。
【請求項４】
前記画像データの再送信がユーザによって指示されると、前記確立手段が前記携帯端末との前記近距離無線通信を再確立し、前記送信手段が前記画像データを再送信することを特徴とする請求項３に記載の画像処理装置。
【請求項５】
前記読取手段は、原稿の画像を読み取り、当該画像に基づく画像データを生成する読取処理を実行し、
前記通知手段は、前記読取処理が完了した後に前記携帯端末へ前記画像データを送信することを示すメッセージを通知する
ことを特徴とする請求項１乃至４のいずれか１項に記載の画像処理装置。
【請求項６】
前記通知手段は、前記送信手段による前記携帯端末への前記画像データの送信が完了すると、前記画像データの送信が完了したことを示すメッセージを通知することを特徴とする請求項１乃至５の何れか１項に記載の画像処理装置。
【請求項７】
表示部をさらに有し、
前記通知手段は、前記所定のメッセージを前記表示部に表示することによって、前記所定のメッセージをユーザに通知する
ことを特徴とする請求項１乃至６の何れか１項に記載の画像処理装置。
【請求項８】
前記所定のメッセージは、前記携帯端末を前記画像処理装置の所定の位置に近づけることをユーザに促すメッセージであることを特徴とする請求項１乃至７の何れか１項に記載の画像処理装置。
【請求項９】
前記画像処理装置は、前記画像データに基づいて画像を用紙に印刷する印刷手段をさらに有することを特徴とする請求項１乃至８の何れか１項に記載の画像処理装置。
【請求項１０】
画像処理装置の制御方法であって、
原稿の画像が読み取られた後、前記画像処理装置が携帯端末と近距離無線通信で通信可能である場合に、前記携帯端末を前記画像処理装置に近づけさせるための所定のメッセージをユーザに通知せずに、前記原稿の画像が読み取られることによって生成された画像データを前記近距離無線通信で前記携帯端末に送信する工程と、
前記原稿の画像が読み取られた後、前記画像処理装置が前記携帯端末と前記近距離無線通信で通信可能でない場合に、前記携帯端末を前記画像処理装置に近づけさせるための前記所定のメッセージをユーザに通知し、前記画像処理装置が前記携帯端末と前記近距離無線通信で通信可能になった後に、前記原稿の画像が読み取られることによって生成された画像データを前記近距離無線通信で前記携帯端末に送信する工程と、
を有することを特徴とする画像処理装置の制御方法。
【請求項１１】
請求項１０に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置及びその制御方法、並びにプログラム
【手続補正３】
【補正対象書類名】明細書
【補正対象項目名】０００１
【補正方法】変更
【補正の内容】
【０００１】
本発明は、画像処理装置及びその制御方法、並びにプログラムに関するものである。
【手続補正４】
【補正対象書類名】明細書
【補正対象項目名】０００７
【補正方法】変更
【補正の内容】
【０００７】
本発明の一態様に係る画像処理装置は、原稿の画像を読み取り、当該画像に基づく画像データを生成する読取手段と、前記読取手段が生成した画像データを近距離無線通信で携帯端末に送信する送信手段と、通知手段とを有し、前記読取手段が前記原稿を読み取った後、前記画像処理装置が前記携帯端末と前記近距離無線通信で通信可能である場合に、前記通知手段は前記携帯端末を前記画像処理装置に近づけさせるための所定のメッセージをユーザに通知せずに、前記送信手段は前記読取手段が生成した画像データを前記近距離無線通信で前記携帯端末に送信し、前記読取手段が前記原稿を読み取った後、前記画像処理装置が前記携帯端末と前記近距離無線通信で通信可能でない場合に、前記通知手段は前記携帯端末を前記画像処理装置に近づけさせるための前記所定のメッセージをユーザに通知し、前記画像処理装置が前記携帯端末と前記近距離無線通信で通信可能になった後に、前記送信手段は前記読取手段が生成した画像データを前記近距離無線通信で前記携帯端末に送信することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】００３３
【補正方法】変更
【補正の内容】
【００３３】
ＭＦＰ２０は、スキャン動作の実行中に携帯端末３０が通信可能エリア１０外へ移動した場合に、行う必要がある作業をユーザが容易に把握できるように、そのような作業に関する通知を表示部２０７に表示してもよい。具体的には、ＭＦＰ２０は、スキャンの実行が完了した後に、ＭＦＰ２０と携帯端末３０との間のＴＪ接続の確立のために携帯端末３０をＭＦＰ２０に近接させる（通信可能エリア１０内に移動させる）ことをユーザに促す通知を表示してもよい。
【手続補正７】
【補正対象書類名】明細書
【補正対象項目名】００３４
【補正方法】変更
【補正の内容】
【００３４】
また、携帯端末３０も同様の通知を表示部３０７に表示することで、スキャン動作の実行中に携帯端末３０が通信可能エリア１０外へ移動した場合に、行う必要がある作業をユーザが容易に把握できるようにしてもよい。具体的には、携帯端末３０は、ＭＦＰ２０へのスキャンジョブの送信が完了した際に、ＭＦＰ２０によるスキャンの実行が完了した後にＭＦＰ２０から携帯端末３０へスキャンデータが送信されることを示す通知を表示部３０７に表示してもよい。このような通知によって、ＭＦＰ２０と携帯端末３０との間のＴＪ接続の確立のために携帯端末３０をＭＦＰ２０に近接させる（通信可能エリア１０内に移動させる）ことをユーザに促してもよい。
【手続補正８】
【補正対象書類名】明細書
【補正対象項目名】００４４
【補正方法】変更
【補正の内容】
【００４４】
Ｓ５０１で、ＣＰＵ３０１は、ＴＪ通信によるスキャンジョブの送信が選択されたか否かを判定し、選択されたと判定すると処理をＳ５０２へ進める。ここでは、図１１（Ａ）のメニュー画面において送信ボタン１１０１Ｂが押されることで、ＴＪ通信によるスキャンジョブの送信が指示されると、ＣＰＵ３０１は、ＴＪ通信によるスキャンジョブの送信が選択されたと判定する。
【手続補正９】
【補正対象書類名】明細書
【補正対象項目名】００５０
【補正方法】変更
【補正の内容】
【００５０】
Ｓ５１１で、ＣＰＵ３０１は、図１１（Ｅ）に示すように、スキャンジョブの再送信のためのメッセージ１１０６及び再送信ボタン１１０７を表示部３０７に表示し、処理をＳ５１２へ進める。メッセージ１１０６は、スキャンジョブの送信に失敗したことを示すとともに、及びスキャンジョブの再送信のためにＭＦＰ２０へ携帯端末３０を近接させることをユーザに促す通知である。再送信ボタン１１０７は、ＴｒａｎｓｆｅｒＪｅｔによる接続要求の送信によりＴＪ接続を再確立してスキャンジョブの再送信を試みることをユーザが指示するためのボタンである。
【手続補正１０】
【補正対象書類名】明細書
【補正対象項目名】００５９
【補正方法】変更
【補正の内容】
【００５９】
次に、Ｓ７０３で、ＣＰＵ２０１は、送信された接続要求に対応する接続応答が携帯端末３０（通信装置４０）から受信されたか否かを判定する。ＣＰＵ２０１は、ＴＪモジュール２２４によって接続応答が受信された場合には処理をＳ７０６へ進め、接続応答が受信されない場合には処理をＳ７０４へ進める。Ｓ７０４で、ＣＰＵ２０１は、接続要求の送信を開始してから規定時間（例えば１００ｍｓ）が経過したか否かを判定する。ＣＰＵ２０１は、規定時間が経過していない場合には処理をＳ７０３へ戻し、規定時間が経過した場合には処理をＳ７０５へ進める。なお、接続要求は、接続応答が受信されるまでＴＪモジュール２２４によって繰り返し送信されうる。また、規定時間は、ユーザの利便性等を考慮して任意の時間に定めることが可能である。
【手続補正１１】
【補正対象書類名】明細書
【補正対象項目名】００６６
【補正方法】変更
【補正の内容】
【００６６】
Ｓ７１２で、ＣＰＵ２０１は、図１０（Ｄ）に示すように、スキャンデータの再送信のためのメッセージ１００３及び再送信ボタン１００４を表示部２０７に表示し、処理をＳ７１３へ進める。メッセージ１００３は、スキャンデータの送信に失敗したことを示すとともに、スキャンデータの再送信のためにＭＦＰ２０へ携帯端末３０を近接させることをユーザに促す通知である。再送信ボタン１００４は、ＴｒａｎｓｆｅｒＪｅｔによる接続要求の送信によりＴＪ接続を再確立してスキャンデータの再送信を試みることをユーザが指示するためのボタンである。
【手続補正１２】
【補正対象書類名】明細書
【補正対象項目名】００７８
【補正方法】変更
【補正の内容】
【００７８】
Ｓ９０４からＳ９０７へ処理を進めた場合、Ｓ９０７で、ＣＰＵ３０１は、Ｓ５０５と同様に、携帯端末３０とＭＦＰ２０との間にＴＪ接続を確立するよう、ＴＪモジュール４０２を制御する。ＭＦＰ２０とのＴＪ接続が確立されると、次にＳ９０８で、ＣＰＵ３０１は、機器情報（装置情報）の取得要求をＴＪ通信によりＭＦＰ２０へ送信するよう、ＴＪモジュール４０２を制御する。更にＳ９０９で、ＣＰＵ３０１は、送信した取得要求に従ってＭＦＰ２０から送信される機器情報がＴＪモジュール４０２によって受信されたか否かを判定する。機器情報が受信されると、ＣＰＵ３０１は、処理をＳ９１０へ進め、受信された機器情報が示すＭＦＰ（ＭＦＰ２０）を、ＭＦＰの選択用の、上述の候補リストに追加する。更に、Ｓ９１１で、ＣＰＵ３０１は、受信された機器情報が示すＭＦＰ（ＭＦＰ２０）を使用対象のＭＦＰとして設定し、処理を終了する。なお、ＣＰＵ３０１は、表示部３０７の表示画面を、上述の選択画面から、図１１（Ａ）のメニュー画面に戻す。その際、メニュー画面の領域１１０２には、Ｓ９１１で設定されたＭＦＰが表示される。